(57)【特許請求の範囲】
【請求項１】
１個または２個以上の映像用あるいは通信用の機器が接続されたネットワークを介して記録メディアのドライブ手段に接続されるデジタルカメラであって、前記ドライブ手段に接続された状態で、ドライブ手段に向けて起動信号を発信することにより、前記ドライブ手段を起動させる第１の発信手段と、ドライブ手段に向けて前記ドライブ手段の電源を遮断するための信号を発信する第２の発信手段を備えたことを特徴とするデジタルカメラ。
【請求項２】
第１の発信手段によりドライブ手段が起動された状態で、記録メディアに撮影した画像データを記録可能である請求項１に記載のデジタルカメラ。
【請求項３】
撮影した画像データを表示する表示手段を備え、記録メディアに記録されているデータを前記表示手段に再生表示可能である請求項１または２に記載のデジタルカメラ。
【発明の詳細な説明】
【０００１】
【発明の属する技術分野】
本発明は、デジタルカメラに関する。
【０００２】
【従来の技術】
デジタルカメラに使用される記録媒体としては、デジタルカメラに内蔵されるメモリのほか、デジタルカメラに装着自在なメモリカードがある。このようなメモリカードの場合、メモリカードを次々に取り替えて撮影し、撮影した画像データの保管もメモリカードで行うことが考えられる。
【０００３】
しかしながら、一般的にメモリカードの容量が２Ｍないしは８Ｍ程度であり、記録できるコマ数が１枚あたり４０枚ないし１６０枚と制限を受けてしまう。そのため、画像データの保管を行うためには、何らかの形で画像データを大容量メディア（光磁気ディスク、ＣＤ−Ｒ、ハードディスク等）に転送する必要がある。どの大容量記録メディアを使用するかにも依存するが、この場合にはメモリカード約１００倍程度の画像を記録することができる。
【０００４】
そこで、通常、デジタルカメラと大容量記録メディアドライブとを備えたパーソナルコンピュータ側のドライバソフトの処理により、デジタルカメラで撮影した画像データを前記大容量の記録メディアに転送することが行われる。あるいは、カードスロットを備えたパーソナルコンピュータであれば、デジタルカメラより抜き出したメモリカードをパーソナルコンピュータに装着し、そのまま画像データを転送することができる。
【０００５】
【発明が解決しようとする課題】
しかしながら、従来では、デジタルカメラと記録メディアとの間の画像データの転送を、デジタルカメラ側からの操作により直接行うことができず、操作性が悪かった。
【０００６】
この発明は、このような技術的背景に鑑みてなされたものであって、デジタルカメラと記憶メディアとの間の画像データの転送を、デジタルカメラ側の操作に基づいて直接行うことができるようにして、操作性を向上した使い勝手の良いデジタルカメラの提供を課題とする。
【０００７】
【課題を解決するための手段】
上記課題は、１個または２個以上の映像用あるいは通信用の機器が接続されたネットワークを介して記録メディアのドライブ手段に接続されるデジタルカメラであって、前記ドライブ手段に接続された状態で、ドライブ手段に向けて起動信号を発信することにより、前記ドライブ手段を起動させる第１の発信手段と、ドライブ手段に向けて前記ドライブ手段の電源を遮断するための信号を発信する第２の発信手段を備えたことを特徴とするデジタルカメラによって解決される。
【０００８】
このデジタルカメラによれば、発信手段により起動信号を発信して記録メディアのドライブ手段を起動させるから、デジタルカメラ側からの操作に基づいて、デジタルカメラと記録メディアとの間で画像データの転送を行うことができるようになり、操作性が良くなる。
【０００９】
特に、第１の発信手段によりドライブ手段が起動された状態で、記録メディアに撮影した画像データを記録可能に構成されている場合には、デジタルカメラにより撮影した画像データを、デジタルカメラ側からの操作に基づいて記録メディアに直接記録できるようになる。一方、撮影した画像データを表示する表示手段を備え、記録メディアに記録されているデータを前記表示手段に再生表示可能に構成されている場合には、記録メディアに記録されているデータの内容を、デジタルカメラ側からの操作に基づいてデジタル表示手段に表示することができるようになり、さらに使い勝手が良くなる。
【００１０】
また、デジタルカメラと記録メディアのドライブ手段とは、１個または２個以上の映像用あるいは通信用の機器が接続されたネットワークを介して接続されるから、記録メディアのドライブ手段以外に、このネットワークに接続された映像用あるいは通信用の機器を利用することが可能となり、デジタルカメラの用途が一層拡大する。
【００１１】
【発明の実施の形態】
この実施形態では、デジタルカメラと記録メディアのドライブ手段とが、ネットワークを介して接続されている場合を例にとって説明する。
【００１２】
＜ネットワークの全体構成＞
図１を用いて、ネットワークの全体構成について説明する。
【００１３】
図１は、ＩＥＥＥ１３９４によるホームネットワーク上に家庭用ＡＶ機器と、ケーブルモデム、電話器、ノートパソコンやデスクトップパソコンからなるパーソナルコンピュータ、ファクシミリ、プリンタが接続されている様子を示すものである。ＳＴＢはＩＥＥＥ１３９４準拠の機器を接続するための、複数個のコネクタが装備されたセットトップボックスである。セットボックス同士もＩＥＥＥ１３９４により結ばれている。
【００１４】
各装置の機能は次表の通りである。
【００１５】
【表１】
0004067631.tif 000002
【００１６】
ホームバス上に接続されている装置は、入力側１個に対して出力側複数を指定して情報のやりとりを行うことが可能である。例えば、テレビ番組を鑑賞しながら録画を行う時には、チューナーが出力するデジタルビデオ信号の受け手側として、テレビモニタとビデオディスクドライブを指定した上で、アンテナからのテレビ信号を選局し、デジタルビデオ信号としてホームバス上に流し、テレビモニターが当該信号を受け表示する。一方で、ビデオディスクドライブも、当該信号を受け記録が可能である。
【００１７】
前記セットボックスＳＴＢにデジタルカメラを接続すると、デジタルカメラで撮影した画像をパーソナルコンピュータに転送して加工したり、テレビモニター上に表示したり、プリンタでプリントすることが可能である。
【００１８】
デジタルカメラの構成は以下のようになっている。
【００１９】
＜デジタルカメラの構成＞
デジタルカメラ１は、図２〜４に示すように、箱型のカメラ本体部２と直方体状の撮像部３とから構成されている。撮像部３は、正面（図２の紙面手前側）から見てカメラ本体部２の右側面に着脱可能、かつ、この右側面と平行な面内に回動可能に装着されている。
【００２０】
前記撮像部３は、マクロズームからなる撮影レンズ及びＣＣＤ（ＣｈａｒｇｅＣｏｕｐｌｅｄ  Ｄｅｖｉｃｅ）等の光電変換素子からなる撮像装置を有し、被写体の光学像をＣＣＤの各画素で光電変換された電荷信号により構成される画像に変換して取り込むものである。一方、カメラ本体部２は、ＬＣＤ（Ｌｉｑｕｉｄ  Ｃｒｙｓｔａｌ  Ｄｉｓｐｌａｙ）からなる表示部１０、メモリカード８の装着部１７及びパーソナルコンピュータが外部接続される接続端子１３を有し、主として上記撮像部３で取り込まれた画像信号に所定の信号処理を施した後、ＬＣＤ表示部１０への表示、メモリカード８への記録、パーソナルコンピュータへの転送等の処理を行うものである。
【００２１】
撮像部３の内部には、マクロズームレンズ３０１が配設され、このマクロズームレンズ３０１の後方位置の適所にＣＣＤカラーエリアセンサ３０３を備えた撮像回路が設けられている。また、撮像部３内の適所にフラッシュ光の被写体からの反射光を受光する調光センサ３０５を備えた調光回路３０４が設けられている。
【００２２】
カメラ本体部２の前面には、図２に示すように、左端部の適所にグリップ部４が設けられ、右端部の上部適所に内蔵フラッシュ５が設けられている。また、カメラ本体部２の上面には、図２に示すように、略中央に記録画像を再生する際のコマ送り用のスイッチ６、７が設けられている。スイッチ６は、記録画像をコマ番号が増大する方向（撮影順の方向）にコマ送りするためのスイッチ（以下、Ｕｐキーという。）であり、スイッチ７は、記録画像をコマ番号が減少する方向にコマ送りするためのスイッチ（以下、Ｄｏｗｎキーという。）である。また、背面側（図３の紙面手前側）からみてＤｏｗｎキー７の左側にメモリカード８に記録された画像を消去するための消去スイッチＤが設けられ、Ｕｐキー６の右上にシャッターボタン９が設けられている。
【００２３】
カメラ本体部２の背面には、図３に示すように、左端部の略中央に撮影画像のモニタ表示（ビューファインダーに相当）及び記録画像の再生表示等を行うためのＬＣＤ表示部１０が設けられている。また、ＬＣＤ表示部１０の下方位置には、メモリカード８に記録される画像データの圧縮率Ｋを切換設定するための圧縮率設定スライドスイッチ１２が設けられている。また、カメラ本体部２の撮像部３側の側面には、パーソナルコンピュータが外部接続される接続端子１３が設けられ、背面上部には電源スイッチＰＳが設けられている。
【００２４】
さらに、カメラ本体部２には、音声を記録しあるいは再生時に記録した音声を表示するための、マイク兼用スピーカＭＩＣが設けられている。後述する映像信号を表示する際には、映像信号に含まれる音声信号はＭＩＣを通して聞くことができる。
【００２５】
前記デジタルカメラ１には、フラッシュ（以下、フラュシュをＦＬと記すことがある）発光に関するモードとして、被写体輝度に応じて自動的に内蔵フラッシュ５を発光させる「自動発光モード」、被写体輝度に関係なく内蔵フラッシュ５を強制的に発光させる「強制発光モード」及び内蔵フラッシュ５の発光を禁止する「発光禁止モード」が設けられ、本体部２の背面のＬＣＤ１０の上方に配設されたＦＬモード設定キー１１を押す毎に「自動発光」、「強制発光」及び「発光禁止」の各モードがサイクリックに切り換わり、いずれかのモードが選択設定されるようになっている。また、デジタルカメラ１は、１／８と１／２０の２種類の圧縮率Ｋが選択設定可能となされ、例えば圧縮率設定スイッチ１２を右にスライドすると、圧縮率Ｋ＝１／８が設定され、左にスライドすると、圧縮率Ｋ＝１／２０が設定される。なお、本実施の形態では、２種類の圧縮率Ｋが選択設定できるようにしているが、３種類以上の圧縮率Ｋを選択設定できるようにしてもよい。
【００２６】
更に、カメラ本体部２の背面の右端上部には、「撮影モード」と機能選択モードとしての「再生モード」とを切換設定する撮影／再生モード設定スイッチ１４が設けられている。撮影モードは、写真撮影を行うモードであり、再生モードは、メモリカード８に記録された撮影画像をＬＣＤ表示部１０に再生表示するモードである。撮影／再生モード設定スイッチ１４も２接点のスライドスイッチからなり、例えば右にスライドすると、再生モードが設定され、左にスライドすると、撮影モードが設定される。
【００２７】
カメラ本体部２の底面には、電池装填室１８とメモリカード８のカード装填室１７とが設けられ、両装填室１７、１８の装填口は、クラムシェルタイプの蓋１５により閉塞されるようになっている。本実施形態におけるデジタルカメラ１は、４本の単三形乾電池を直列接続してなる電源電池Ｅを駆動源としている。
【００２８】
図５は、デジタルカメラ１の制御系を示すブロック図である。
【００２９】
撮像部３内において、前記ＣＣＤ３０３は、マクロズームレンズ３０１により結像された被写体の光像を、Ｒ（赤）、Ｇ（緑）、Ｂ（青）の色成分の画像信号（各画素で受光された画素信号の信号列からなる信号）に光電変換して出力する。タイミングジェネレータ３１４は、ＣＣＤ３０３の駆動を制御するための各種のタイミングパルスを生成するものである。
【００３０】
撮像部３における露出制御は、絞りが固定絞りとなっているので、ＣＣＤ３０３の露光量、すなわち、シャッタスピードに相当するＣＣＤ３０３の電荷蓄積時間を調節して行われる。被写体輝度が低輝度時に適切なシャッタスピードが設定できない場合は、ＣＣＤ３０３から出力される画像信号のレベル調整を行うことにより露光不足による不適正露出が補正される。すなわち、低輝度時は、シャッタスピードとゲイン調整とを組み合わせて露出制御が行われる。画像信号のレベル調整は、信号処理回路３１３内のＡＧＣ回路のゲイン調整において行われる。
【００３１】
タイミングジェネレータ３１４は、タイミング制御回路２０２から送信される基準クロックに基づきＣＣＤ３０３の駆動制御信号を生成するものである。タイミングジェネレータ３１４は、例えば積分開始／終了（露出開始／終了）のタイミング信号、各画素の受光信号の読出制御信号（水平同期信号、垂直同期信号、転送信号等）等のクロック信号を生成し、ＣＣＤ３０３に出力する。
【００３２】
信号処理回路３１３は、ＣＣＤ３０３から出力される画像信号（アナログ信号）に所定のアナログ信号処理を施すものである。信号処理回路３１３は、ＣＤＳ（相関二重サンプリング）回路とＡＧＣ（オートゲインコントロール）回路とを有し、ＣＤＳ回路により画像信号のノイズの低減を行い、ＡＧＣ回路のゲインを調整することにより画像信号のレベル調整を行う。
【００３３】
調光回路３０４は、フラッシュ撮影における内蔵フラッシュ５の発光量を全体制御部２１１により設定された所定の発光量に制御するものである。フラッシュ撮影においては、露出開始と同時に被写体からのフラッシュ光の反射光が調光センサ３０５により受光され、この受光量が所定の発光量に達すると、調光回路３０４から全体制御部２１１を介してフラッシュ制御回路２１４に発光停止信号が出力される。フラッシュ制御回路２１４は、この発光停止信号に応答して内蔵フラッシュ５の発光を強制的に停止し、これにより内蔵フラッシュ５の発光量が所定の発光量に制御される。
【００３４】
カメラ本体部２内において、Ａ／Ｄ変換器２０５は、画像信号の各画素信号を１０ビットのデジタル信号に変換するものである。Ａ／Ｄ変換器２０５は、図示しないＡ／Ｄクロック発生回路から入力されるＡ／Ｄ変換用のクロックに基づいて各画素信号（アナログ信号）を１０ビットのデジタル信号に変換する。
【００３５】
カメラ本体部２内には、基準クロック、タイミングジェネレータ３１４、Ａ／Ｄ変換器２０５に対するクロックを生成するタイミング制御回路２０２が設けられている。タイミング制御回路２０２は、全体制御部２１１により制御される。
【００３６】
黒レベル補正回路２０６は、Ａ／Ｄ変換器２０５でＡ／Ｄ変換された画素信号（以下、画素データという。）の黒レベルを基準の黒レベルに補正するものである。また、ホワイトバランス回路（以下、ＷＢ回路という）２０７は、γ補正後にホワイトバランスも合わせて調整されるように、Ｒ、Ｇ、Ｂの各色成分の画素データのレベル変換を行うものである。ＷＢ回路２０７は、全体制御部２１１から入力される、レベル変換テーブルを用いてＲ、Ｇ、Ｂの各色成分の画素データのレベルを変換する。なお、レベル変換テーブルの各色成分の変換係数（特性の傾き）は全体制御部２１１により撮影画像毎に設定される。
【００３７】
γ補正回路２０８は、画素データのγ特性を補正するものである。γ補正回路２０８は、γ特性の異なる例えば６種類のγ補正テーブルを有し、撮影シーンや撮影条件に応じて所定のγ補正テーブルにより画素データのγ補正を行う。
【００３８】
画像メモリ２０９は、γ補正回路２０８から出力される画素データを記憶するメモリである。画像メモリ２０９は、１フレーム分の記憶容量を有している。すなわち、画像メモリ２０９は、ＣＣＤ３０３がｎ行ｍ列の画素を有している場合、ｎ×ｍ画素分の画素データの記憶容量を有し、各画素データが対応する画素位置に記憶されるようになっている。
【００３９】
ＶＲＡＭ２１０は、ＬＣＤ表示部１０に再生表示される画像データのバッファメモリである。ＶＲＡＭ２１０は、ＬＣＤ表示部１０の画素数に対応した画像データの記憶容量を有している。
【００４０】
ＭＩＣは前述したようにマイク兼用スピーカである。後述する映像信号を表示する際には、映像信号中の音声信号は、全体制御部２１１で音声分離されて、ＭＩＣを通して聞くことができる。
【００４１】
撮影待機状態においては、撮像部３により１／３０（秒）毎に撮像された画像の各画素データが、Ａ／Ｄ変換器２０５〜γ補正回路２０８により所定の信号処理を施された後、画像メモリ２０９に記憶されるとともに、全体制御部２１１を介してＶＲＡＭ２１０に転送され、ＬＣＤ表示部１０に表示される。これにより撮影者はＬＣＤ表示部１０に表示された画像により被写体像を視認することができる。また、再生モードにおいては、メモリカード８から読み出された画像が全体制御部２１１で所定の信号処理が施された後、ＶＲＡＭ２１０に転送され、ＬＣＤ表示部１０に再生表示される。
【００４２】
カードＩ／Ｆ２１２は、メモリカード８への画像データの書込み及び画像データの読出しを行うためのインターフェースである。また、通信用Ｉ／Ｆ２１３は、デジタルカメラ９を各ネットワーク接続機器１９と通信可能に外部接続するための、ＩＥＥＥ１３９４規格に準拠したインターフェースである。
【００４３】
フラッシュ制御回路２１４は、内蔵フラッシュ５の発光を制御する回路である。フラッシュ制御回路２１４は、全体制御部２１１の制御信号に基づき内蔵フラッシュ５の発光の有無、発光量及び発光タイミング等を制御し、調光回路３０４から入力される発光停止信号ＳＴＰに基づき内蔵フラッシュ５の発光量を制御する。
【００４４】
ＲＴＣ２１９は、撮影日時を管理するための時計回路であり、図示しない別の電源で駆動される。
【００４５】
操作部２５０は、上述した、Ｕｐキー６、Ｄｏｗｎキー７、シャッターボタン９、ＦＬモード設定キー１１、圧縮率設定スイッチ１２、撮影／再生モード設定スイッチ１４に相当するスイッチを備えている。
【００４６】
全体制御部２１１は、マイクロコンピュータからなり、上述した撮像部３内及びカメラ本体部２内の各部材の駆動を有機的に制御してデジタルカメラ１の撮影動作を統括制御するものである。
【００４７】
また、図６に示すように、全体制御部２１１は、露出制御値（シャッタスピード（ＳＳ））を設定するための輝度判定部２１１ａとシャッタスピード（ＳＳ）設定部２１１ｂとを備えている。輝度判定部２１１ａは、撮影待機状態において、ＣＣＤ３０３により１／３０（秒）毎に取り込まれる画像を利用して被写体の明るさを判定するものである。すなわち、輝度判定部２１１ａは、画像メモリ２０９に更新的に記憶される画像データを用いて被写体の明るさを判定するものである。
【００４８】
輝度判定部２１１ａは、画像メモリ２０９の記憶エリアを９個のブロックに分割し、各ブロックに含まれるＧ（緑）の色成分の画素データを用いて各ブロックを代表する輝度データを算出する。
【００４９】
シャッタスピード設定部２１１ｂは、輝度判定部２１１ａによる被写体の明るさの判定結果に基づいてシャッタスピード（ＣＣＤ３０３の積分時間）を設定するものである。シャッタスピード設定部２１１ｂは、シャッタスピードのテーブルを有している。
【００５０】
シャッタスピードは、カメラ起動時に１／１２８（秒）に初期設定され、撮影待機状態において、シャッタスピード設定部２１１ｂは、輝度判定部２１１ａによる被写体の明るさの判定結果に応じて初期値から高速側若しくは低速側に１段ずつ変更設定する。
【００５１】
また、全体制御部２１１は、撮影シーンに応じて適切なシャッタスピードの設定、γ補正、フィルタリング補正（後述）を行うために、「低輝度シーン」、  「中輝度通常シーン」、「中輝度逆光シーン」及び「高輝度シーン」の４種類の撮影シーンを判定するシーン判定部２１１ｃを備えている。「低輝度シーン」は、室内撮影や夜間撮影のように、通常、フラッシュによる補助光を必要とするシーンであり、「中輝度通常シーン」は、主被写体に対する照明光（自然光、人工光を含む）が順光で、かつ、その明るさが適当であるため補助光無しで撮影可能なシーンである。また、「中輝度逆光シーン」は、全体的な明るさは適当であるが、主被写体に対する照明光が逆光のため、フラッシュ発光が好ましいシーンであり、「高輝度シーン」は、例えば晴天の海やスキー場での撮影のように全体的に非常に明るいシーンである。シーン判定部２１１ｃによる判定結果はメモリ２１１ｄに記憶される。
【００５２】
更に、全体制御部２１１は、撮像画像が風景や人物等の通常の写真撮影の画像（以下、この種の撮影画像を自然画という。）であるか、ボードに描かれた文字、図表等の画像（以下、この種の２値画像に類似した画像を文字画という。）であるかを判定する画像判定部２１１ｅを備えている。
【００５３】
画像判定部２１１ｅは、画像メモリ２０９に記憶された撮像画像を構成する画素データに基づき各画素位置の輝度データのヒストグラムを作成し、このヒストグラムに基づき撮像画像の内容を判定する。一般に、撮像画像の輝度データのヒストグラムは、自然画の場合は、輝度分布の偏りが少なく、１つのピーク値を有する、いわゆる１山分布となるが、例えばホワイトボードに描かれた文字のような文字画の場合は、白地部分と黒の文字部分とにそれぞれ輝度分布の偏りが見られ、２山分布となる。従って、画像判定部２１１ｅは、撮像画像の輝度データＢＶ（ｉ、ｊ）のヒストグラムが１山分布であるか、２山分布であるかを判別することにより撮像画像が自然画であるか、文字画であるかを判別する。そして、この判定結果もメモリ２１１ｄに記憶される。
【００５４】
全体制御部２１１は、上記撮影画像の記録処理を行うために、フィルタリング処理を行うフィルタ部２１１ｆとサムネイル画像及び圧縮画像を生成する記録画像生成部２１１ｇとを備え、メモリカード８に記録された画像をＬＣＤ表示部１０に再生するために、再生画像を生成する再生画像生成部２１１ｈを備えている。
【００５５】
前記フィルタ部２１１ｆは、デジタルフィルタにより記録すべき画像の高周波成分を補正して輪郭に関する画質の補正を行うものである。フィルタ部２１１ｆは、圧縮率Ｋ＝１／８、１／２０のそれぞれについて、標準的な輪郭補正を行うデジタルフィルタと、この標準的な輪郭補正に対して、輪郭を強める２種類のデジタルフィルタと輪郭を弱める２種類のデジタルフィルタの合計５種類のデジタルフィルタを備えている。
【００５６】
前記記録画像生成部２１１ｇは、画像メモリ２０９から画素データを読み出してメモリカード８に記録すべきサムネイル画像と圧縮画像とを生成する。記録画像生成部２１１ｇは、画像メモリ２０９からラスタ走査方向に走査しつつ、横方向と縦方向の両方向でそれぞれ８画素毎に画素データを読み出し、順次、メモリカード８に転送することで、サムネイル画像を生成しつつメモリカード８に記録する。
【００５７】
また、記録画像生成部２１１ｇは、画像メモリ２０９から全画素データを読み出し、これらの画素データに２次元ＤＣＴ変換、ハフマン符号化等のＪＰＥＧ方式による所定の圧縮処理を施して圧縮画像の画像データを生成し、この圧縮画像データをメモリカード８の本画像エリアに記録する。
【００５８】
全体制御部２１１は、撮影モードにおいて、シャッターボタン９により撮影が指示されると、撮影指示後に画像メモリ２０９に取り込まれた画像のサムネイル画像と圧縮率設定スイッチ１２で設定された圧縮率ＫによりＪＰＥＧ方式により圧縮された圧縮画像とを生成し、撮影画像に関するタグ情報（コマ番号、露出値、シャッタスピード、圧縮率Ｋ、撮影日、撮影時のフラッシュのオンオフのデータ、シーン情報、画像の判定結果等の情報）とともに両画像をメモリカード８に記憶する。
【００５９】
デジタルカメラによって記録された画像は、図７に示すように、圧縮率１／２０で４０コマの画像が記憶可能であり、各コマ８１〜８５はタグの部分とＪＰＥＧ形式で圧縮された高解像度の画像データ（６４０×４８０画素）とサムネイル表示用の画像データ（８０×６０画素）が記録されている。各コマ単位で、たとえばＥＸＩＦ形式の画像ファイルとして扱うことが可能である。
【００６０】
＜ネットワーク上でのデジタルカメラの動作＞
先述のように、デジタルカメラ１を、ホームバスの上の任意のセットトップボックスＳＴＢに接続した状態で、撮影／再生モード設定スイッチ１４を再生モード側にセットすると、図８に示すように、画面Ｄ１が表示される。画面Ｄ１はメインメニューであり、使用する機能を選択する画面である。画面Ｄ１では、プリントが選択されているが、Ｕｐ／Ｄｏｗｎスイッチを操作することにより、図示する９つのメニューが選択可能になっている。
【００６１】
画面Ｄ１において、番号１から８までは、機能の選択画面になっており、撮影／再生モード設定スイッチを再生モード側にセットした後で、画面Ｄ１を表示する前に、ネットワークに接続されている機器を、デジタルカメラから問い合わせるようになっている。各機器には固有のＩＤ番号とタイプが予め機器の内部の不揮発性メモリ登録されているので、これにより、ネットワークに接続されている機器の一覧を作成する。これを次表に示す。
【００６２】
【表２】
0004067631.tif 000003
【００６３】
これにより、メインメニューに表示される各機能に対して、関係するタイプの装置が接続されているのかどうかを判別することができる。各機能毎に、どのタイプの機器が関連するのかを次の表に○をつけて示している。○の横の数字は、機能が選択された場合に呼び出される順番を示す。例えば、「４：インターネット」が選択された場合には、ケーブルモデムが使用不可能なら次いでターミナルアダプターが呼び出される。
【００６４】
【表３】
0004067631.tif 000004
【００６５】
ここで、ネットワーク上に接続されている装置の認識可／不可状態に関して、次表の７つの状態が想定される。画面Ｄ１においては、ネットワークケーブルと、電源ケーブルの接続状態に応じて、ネットワーク上で認識された機器に対応する機能のみが選択可能になっている。
【００６６】
【表４】
0004067631.tif 000005
【００６７】
▲５▼、▲６▼のネットワークケーブルが外れている状態においては、デジタルカメラ１から制御不可能であるため、ネットワークケーブルが外れている機器に関連する機能は選択不可能であり、淡色で表示されるようになっている。
【００６８】
例えば、ターミナルアダプターが接続されていない場合には、「６：データ送信」の機能は選択不可能である。
【００６９】
また、▲３▼、▲４▼のように、ネットワークケーブルは接続されているが、電源ケーブルが接続されていない状態では、機器に応じて、使用可能／使用不可の状態が異なる。すなわち、電池にて駆動可能かどうか、あるいはネットワークを介した給電が可能かどうかで、ネットワーク上で認識されるかどうかが決まる。
【００７０】
この例では、電話器、ノートパソコン、ターミナルアダプターには、内部に２次電池が装備されており、これら３者のみが電池にて駆動可能になっている。従って、電源ケーブルが外れていても、ネットワークケーブルさえ接続されておれば、これらの機器はネットワーク上で認識され、対応する機能が利用可能にある。もし、▲４▼のように電源がＯＦＦの場合には、電源ＯＮ信号をデジタルカメラから送出することにより、対象機器の電源をＯＮにすることができる。
【００７１】
▲１▼、▲２▼のように、ネットワークケーブル、電源ケーブルとも接続されている状態においては、機器はネットワーク上で認識され、対応する機能は使用可能である。▲２▼のように機器の電源状態がＯＦＦの場合であっても、デジタルカメラから電源ＯＮ信号を送出することにより電源ＯＮ状態にすることができる。
【００７２】
画面Ｄ１においては、ネットワークケーブルが外れていて利用不可能な機器に対応する機能は、選択不可能であり、淡色で表示するようになっているから、利用不可能な機器に対応する機能を選択してしまう不都合がなくなり、利用可能な機器に対応する機能のみを確実に選択することができ、操作性が良くなる。
【００７３】
なお、特定機能に対応する機器が複数個ある場合には、特定機能に対応する機器が全て使用不可能の場合にのみ、淡色表示するようになっている。例えば、  「２：再生」の場合には、テレビモニタ、デスクトップパソコン、ノートパソコンの３者がすべて使用不可能の場合のみ、淡色表示するようになっている。
【００７４】
＜画面の選択＞
図８に示す画面Ｄ１で「１：プリント」を選択し、シャッターボタンを押すと画面Ｄ１０に遷移する。
【００７５】
画面Ｄ１０は、プリントイメージの選択画面であり、デジタルカメラ１で最近に撮影した４コマ分の画像がコマ番号とともに表示されており、最も新しい画像が選択されている。選択されている画像には枠が表示されている。
【００７６】
画面Ｄ１０でＵｐキーを押すと、コマ番号が一つ大きな画像を選択し、Ｄｏｗｎキーを押すとコマ番号が一つ小さな画像を選択する。
【００７７】
画面Ｄ１で「２：再生」を選択し、シャッターボタンを押すと画面Ｄ２０に遷移する。画面Ｄ２０では、デジタルカメラ１のメモリカード８に保管されている画像や、ビデオディスクドライブに記録されている画像等を再生する場所を選択することが可能であり、カメラのモニター（表示部１０）、ネットワークに接続されているテレビモニターやパソコンのいずれで再生するのかを選択させるために、「２１：カメラのモニターで表示」、「２２：テレビで表示」、「２３：パソコンで表示」の各項目が画面に表示されている。なお、画面Ｄ２０では、デジタルカメラ１で撮影した最も新しい画像も表示されている。
【００７８】
画面Ｄ１で、「３：テレビ番組」を選択すると、画面Ｄ３０に遷移する。画面Ｄ３０では、左下に最近選択したチャンネル番号が表示されており、Ｕｐキーを押すと、チャンネル番号が一つ大きくなり、Ｄｏｗｎキーを押すとチャンネル番号が一つ小さくなる。なお、画面Ｄ３０では、セットされているチャンネル番号に対応した映像が表示されている。
【００７９】
画面Ｄ１で、「４：インターネット」を選択すると、図９に示す画面Ｄ４０に遷移する。画面Ｄ４０では、ＷＷＷコンテンツをデジタルカメラのモニター画面で閲覧するためのインターネットアドレスを選択可能になっている。アドレスは予め設定されており、Ｕｐキー、Ｄｏｗｎキーを押す毎に変更される。画面に入りきれない場合には、選択項目をスクロールさせる。
【００８０】
画面Ｄ１で、「５：データ記録」を選択すると、画面Ｄ５０に遷移する。画面Ｄ５０では、デジタルカメラ１のメモリカード８内に記録されている画像を保管する対象を選択することができる。ここでは、ネットワークに接続されているビデオデッキと２台のパソコンが選択可能になっており、Ｕｐキー、Ｄｏｗｎキーを押す毎に記録対象を変更することが可能である。もし、画面に入りきれないなら、選択項目をスクロールさせる。
【００８１】
画面Ｄ１で、「６：送信」を選択すると、画面Ｄ６０に遷移する。画面Ｄ６０では、デジタルカメラ１のメモリカード８内に記録されている画像を送信する相手先を選択することができる。Ｕｐキー、Ｄｏｗｎキーを押す毎に送信先を変更することが可能である。もし、画面に入りきれないなら、選択項目をスクロールさせる。なお、画面Ｄ６０には、送信先の設定を行うための項目「６４：送信先の設定」も表示されている。
【００８２】
画面Ｄ１で、「７：アプリケーションの実行」を選択すると、画面Ｄ７０に遷移する。画面Ｄ７０では、デジタルカメラ用の各種アプリケーションが選択できる。Ｕｐキー、Ｄｏｗｎキーを押す毎に選択されているアプリケーションを変更することが可能である。
【００８３】
画面Ｄ１で、「８：その他」を選択すると、画面Ｄ８０に遷移する。画面Ｄ８０では、「８１：接続機器の一覧」と「８２：デジタルカメラの設定」の２つの項目を選択できる。Ｕｐキー、Ｄｏｗｎキーを押す毎に選択されている項目を変更することが可能である。
【００８４】
なお、画面Ｄ１０〜Ｄ８０において、ＦＬモード設定キー１１が押されると、画面Ｄ１に戻るようになっており、シャッターボタン９が押されると、選択した項目が決定されるようになっている。
【００８５】
＜２：再生の選択＞
画面Ｄ２０で実行される再生処理に関して、デジタルカメラとディスクドライブの動作を図１０と図１１のフローチャート、及び図１２の画面遷移図を用いて説明する。
【００８６】
画面Ｄ１で「２：再生」が選択された状態で、シャッターボタン９が押されると、画面Ｄ２０に遷移する。画面Ｄ２０では、再生する場所をＵｐキー、Ｄｏｗｎキーを押すことによりサイクリックに選択することができ、
２１：カメラのモニターで表示する
２２：テレビで表示する
２３：パソコンで表示する
が選択可能である。
【００８７】
図１２に示す画面２０では、デフォルトで２１：カメラのモニターで表示する場合が選択されており、その状態でシャッターボタンを押すと、画面Ｄ２１１に遷移する。画面Ｄ２１１では、再生する対象をＵｐキー、Ｄｏｗｎキーを押すことによりサイクリックに選択することができ、
２１１：カメラ内の画像
２１２：ビデオディスクドライブ
２１３：パソコン内のデータ
の３つが選択可能であり、デフォルトでは２１１：カメラ内の画像が選択されている。
【００８８】
Ｄｏｗｎキーを一度押すと画面Ｄ２１２に遷移する。画面Ｄ２１２では、ビデオディスクドライブ内の映像／画像情報を表示することができ、画面Ｄ２１２でシャッターボタンを押すと、図１０に示すフローチャートのステップ（以下、ステップをＳと記す）２００でデジタルカメラはビデオディスクドライブを呼び出す。
【００８９】
ビデオディスクドライブ側がデジタルカメラからの呼び出し信号を受信すると、Ｓ２０００の受信処理ルーチンを起動する。
【００９０】
受信処理ルーチンでは、Ｓ２０１０でまず、自分自身の電源状態を判断し、電源ＯＦＦの時なら（Ｓ２０１０にてＹＥＳ）、Ｓ２０２０で電源をＯＮにする。そのうえで、Ｓ２０３０で、ステータスを電源ＯＦＦから電源ＯＮに更新する。そして、Ｓ２０４０でステータスをデジタルカメラに送信する。Ｓ２０１０で電源状態を判断した結果、電源ＯＮなら（Ｓ２０１０にてＮＯ）、そのままＳ２０４０でステータスを送信する。ステータスの内容は後述する。
【００９１】
こうして、デジタルカメラによるビデオディスクドライブの呼び出しに基いて、ビデオディスクドライブが自動的に起動するから、ビデオディスクドライブの起動に際して操作者はデジタルカメラのみを操作すれば良く、極めて便利である。
【００９２】
デジタルカメラ側では、Ｓ２１０でビデオディスクドライブからのステータス信号の受信を待つ。Ｓ２２０で１分経過してもステータス信号を受信しない場合には（Ｓ２２０にてＹＥＳ）、Ｓ２３０で警告画面ＤＡ２１２Ａ１に遷移して、ビデオディスクドライブが接続されていない（最初つながってもいても途中で外された場合等も含む）旨を表示し、このルーチンを抜ける。
【００９３】
Ｓ２１０でステータス信号を受信した場合には、受信したステータス信号を見て、Ｓ２４０でビデオディスクドライブが利用可能かどうかを判別する。ステータス信号には、ビデオディスクドライブがアイドル状態かどうか、記録メディアの装着状態、装着されているメディアの種類、ビデオディスクドライブの使用状態、送出している信号の種類が含まれる。
【００９４】
Ｓ２４０の判別の結果、利用可能でない（アイドル状態でない）なら（Ｓ２４０にてＮＯ）、Ｓ２５０で記録メディアの装着の有無を判別する。もしメディアが装着されていない場合には（Ｓ２５０にてＮＯ）、Ｓ２５１で画面Ｄ２１２Ａ４に遷移して、メディアが装着されていない旨を表示し、このルーチンを抜ける。
【００９５】
メディアが装着されている場合には（Ｓ２５０にて、ＹＥＳ）、Ｓ２５２でディスクドライブが他の機器によって使用されているかどうかを判別し、他の機器により使用されていない場合には（Ｓ２５２にて、ＮＯ）、画面Ｄ１２１Ａ５に遷移してビデオディスクドライブを確認する旨の表示を行い、このルーチンを抜ける。
【００９６】
一方、ビデオディスクドライブが他の機器により使用されている場合には（Ｓ２５２にて、ＹＥＳ）、Ｓ２５４で映像信号／静止画像信号を送信しているかどうかを判別し、送信していなければ（Ｓ２５４にて、ＮＯ）、Ｓ２５５で警告画面Ｄ２１２Ａ３に画面遷移し、ビデオディスクドライブが他の機器によって使用されている旨を表示し、このルーチンを抜ける。
【００９７】
Ｓ２５４で映像信号／静止画像信号を送信している場合には（Ｓ２５４にて、ＹＥＳ）、Ｓ２５６で画面Ｄ２１２Ａ２に遷移し、送信している映像信号／静止画像信号をデジタルカメラ１の表示部１０に表示する。従って、例えば、ビデオディスクの映像をテレビモニタで表示している時には、デジタルカメラによってビデオディスクを操作することは不可能であるが、現在テレビモニタに表示されているのと同じ映像を、デジタルカメラの表示部で見ることが可能になる。
【００９８】
Ｓ２４０でビデオディスクドライブが利用可能の場合には（Ｓ２４０にて、ＹＥＳ）、Ｓ２５７で画面Ｄ２１２０に遷移し、装着されているビデオディスクのタイトル表示を行い、Ｓ２５８でタイトル選択後のシャッターボタンが押されるのを待つ。Ｓ２５８でシャッターボタンが押されたことを検出すると（Ｓ２５８にて、ＹＥＳ）、Ｓ２６０でタイトル信号をビデオディスクドライブに送信し、Ｓ２７０でビデオディスクドライブから映像信号の受信を待つ。
【００９９】
ビデオディスクドライブがデジタルカメラ側からタイトル信号を受信すると、Ｓ２６００のタイトル信号ルーチンを起動する。このルーチンでは、Ｓ２６１０でタイトル設定をして、Ｓ２６２０でデジタルカメラに向けて映像信号を送出する。
【０１００】
デジタルカメラがＳ２７０で映像信号をビデオディスクドライブ側から受信すると、Ｓ２８０でその映像を表示部１０に表示する。次いで、Ｓ２９０で、Ｕｐキー／Ｄｏｗｎキーによるチャンネル設定が行われたかどうかを判別し、チャンネルが変更されたときは（Ｓ２９０にてＹＥＳ）、Ｓ３００でタイトル信号をビデオディスクドライブに送信する。
【０１０１】
ビデオディスクドライブがＳ３０００でデジタルカメラからのタイトル信号を受信すると（Ｓ３０００にてＹＥＳ）、Ｓ２６１０に戻ってタイトル設定を行う。タイトル信号を受信しない場合には（Ｓ３０００にてＮＯ）、Ｓ３２００で再生終了信号を受信したかどうかを判別し、受信しない場合には（Ｓ３２００にてＮＯ）、Ｓ２６２０に戻り映像信号の送信を継続する。
【０１０２】
一方、デジタルカメラは、Ｓ３００でタイトル信号を送信した後、Ｓ３１０で、画面Ｄ２１２０においてＦＬモード設定キー１１が押されたかどうかを判別する。また、Ｓ２９０でチャンネルの変更がなかった場合にも（Ｓ２９０にてＮＯ）、Ｓ３１０に進みＦＬモードで設定ボタンが押されたかどうかを判別する。
【０１０３】
ＦＬモード設定キーが押された場合には（Ｓ３１０でＹＥＳ）、Ｓ３２０でビデオディスクドライブに再生終了信号を送信する。そして、Ｓ３３０で画面Ｄ１に戻りこのルーチンを抜ける。また、ＦＬモードで設定ボタンが押された場合には（Ｓ３１０でＮＯ）、Ｓ２７０に戻り、ビデオディスクドライブ側から映像信号を受信するのを待つ。
【０１０４】
ビデオディスクドライブがＳ３２００で再生終了信号を受信すると（Ｓ３２００にてＹＥＳ）、Ｓ３２１０の再生終了処理を実行し、このルーチンを抜ける。再生終了信号を受信するまで（Ｓ３２００にてＮＯ）、Ｓ２６２０で映像信号の送信を続ける。
【０１０５】
次に、上述したＳ３２１０の再生終了処理について、図１１のフローチャートを参照しつつ説明する。Ｓ３２２０で映像信号の送出を停止し、Ｓ３２３０でビデオディスクドライブのステータスを更新する。Ｓ３２４０で再生終了信号を受信してから１分経過したかどうかを判別し、１分経過したなら（Ｓ３２４０にてＹＥＳ）、Ｓ３２５０でビデオディスクドライブの電源をＯＦＦにする。このように、デジタルカメラ側から出力された再生終了信号に基いてビデオディスクドライブの電源を遮断するから、操作者がビデオディスクドライブの電源を直接遮断する必要がなくなり、使い勝手の良いものとなる。
【０１０６】
また、Ｓ３２４０で再生終了信号を受信してから１分経過しない場合には（Ｓ３２４０にてＮＯ）、Ｓ３２６０でビデオディスクドライブから見て他の機器から接続要求があるかどうかを判別し、接続要求がある場合には（Ｓ３２６０にてＹＥＳ）、このルーチンを抜けて、接続要求を出した機器に応じた所定の処理を行う。接続要求がなかった場合には（Ｓ３２６０にてＮＯ）、Ｓ３２４０に戻る。
【０１０７】
なお、以上の再生処理では、映像信号をダジタルカメラ１の表示部１０で閲覧する場合を例示したが、静止画像を閲覧する場合も手順は同じである。
【０１０８】
＜５：データ記録の選択＞
画面Ｄ５０で実行される記録処理に関して、デジタルカメラとビデオディスクドライブの動作を図１３と図１４のフローチャート及び図１５の画面遷移図を用いて説明する。
【０１０９】
画面Ｄ１において、「５：データ記録］が選択された状態でシャッターボタン９が押されると、図１５に示す画面Ｄ５０に遷移する。画面Ｄ５０では、記録する場所をＵｐキー６、Ｄｏｗｎキー７を押すことによりサイクリックに選択することができ、
５１：ビデオディスクドライブ
５２：パソコン１  デスクトップ
５３：パソコン２  ノート
を選択可能である。
【０１１０】
画面Ｄ５０では、デフォルトで「５１：ビデオディスクドライブ」が選択されており、その状態でシャッターボタンを押すと、画面Ｄ５００に遷移し、カメラのメモリカード８内に記録されている全ての画像データをビデオディスクドライブに転送できる。
【０１１１】
画面Ｄ５０においてシャッターボタン９を押すと、図１３のフローチャートのＳ５００でデジタルカメラはビデオディスクドライブを呼び出す。次に、ビデオディスクドライブ側がデジタルカメラからの呼び出し信号を受信すると、Ｓ５０００の受信処理ルーチンを起動する。
【０１１２】
この受信処理ルーチンでは、Ｓ５０１０でまず、自分自身の電源状態を判断し、電源ＯＦＦの時なら（Ｓ５０１０にてＹＥＳ）、Ｓ５０２０で電源をＯＮにする。そのうえで、Ｓ５０３０で、ステータスを電源ＯＦＦから電源ＯＮに更新する。そして、Ｓ５０４０でステータスをデジタルカメラに送信する。Ｓ５０１０で電源状態を判断した結果、電源ＯＮなら（Ｓ５０１０にてＮＯ）、そのままＳ５０４０でステータスを送信する。ステータスの内容は後述する。
【０１１３】
デジタルカメラ側では、Ｓ５１０でビデオディスクドライブからのステータス信号の受信を待つ。Ｓ５２０で１分経過してもステータス信号を受信しない場合には（Ｓ５２０にてＹＥＳ）、Ｓ５３０で図１５に示す警告画面Ｄ５００Ａ１に画面遷移し、ビデオディスクドライブが接続されていない旨を表示し、このルーチンを抜ける。
【０１１４】
Ｓ５１０でステータス信号を受信した場合には（ＹＥＳ）、受信したステータス信号を見て、Ｓ５４０でビデオディスクドライブが利用可能かどうかを判別する。ステータス信号には、ビデオディスクドライブがアイドル状態かどうか、記録メディアの装着状態、装着されているメディアの種類、ビデオディスクドライブの使用状態、送出している信号の種類が含まれる。
【０１１５】
Ｓ５４０の判別の結果、利用可能でない（アイドル状態でない）なら（Ｓ５４０にてＮＯ）、Ｓ５５０で記録メディアの装着の有無を判別する。もしメディアが装着されていない場合には（Ｓ５５０にてＮＯ）、Ｓ５５１で画面Ｄ５００Ａ４に遷移して、メディアが装着されていない旨を表示し、このルーチンを抜ける。
【０１１６】
メディアが装着されている場合には（Ｓ５５０にて、ＹＥＳ）、Ｓ５５２で装着されているメディアがＤＶＤ−ＲＯＭかどうかを判別し、そうであれば（Ｓ５５２にて、ＹＥＳ）、Ｓ５５３で画面Ｄ５００Ａ６に遷移して、ＤＶＤ−ＲＡＭに交換する旨の警告を表示し、このルーチンを抜ける。
【０１１７】
一方、装着されているメディアがＤＶＤ−ＲＯＭでない場合には（Ｓ５５２にて、ＮＯ）、Ｓ５５４でビデオディスクドライブがデジタルカメラ以外の他の機器によって使用されているかどうかを判別し、他の機器により使用されていない場合には（Ｓ５５４にて、ＮＯ）、Ｓ５５５で画面Ｄ５００Ａ５に遷移してビデオディスクドライブを確認する旨の表示を行い、このルーチンを抜ける。
【０１１８】
一方、ビデオディスクドライブが他の機器により使用されている場合には（Ｓ５５４にて、ＹＥＳ）、Ｓ５５６で警告画面Ｄ５００Ａ３に遷移して、ビデオディスクドライブが他の機器によって使用されている旨を表示し、このルーチンを抜ける。
【０１１９】
Ｓ５４０でビデオディスクドライブが利用可能の場合には（Ｓ５４０にて、ＹＥＳ）、Ｓ５６０で実際にデータ転送を実行する。Ｓ５７０でデータ記録完了信号を受信するまで、データ転送を継続する。データ転送中はＳ５６１で画面Ｄ５００が表示され、データ転送中であることが表示される。
【０１２０】
ビデオディスクドライブがデジタルカメラ側から記録データを受信すると、Ｓ５６００のデータ受信ルーチンを起動する。このルーチンでは、Ｓ５６１０でＤＶＤ−ＲＡＭに転送されたデータを記録する。Ｓ５６２０でデータ記録が完了するまでＳ５６１０のデータ記録が実行される。Ｓ５６２０でデータ記録が完了すると（Ｓ５６２０にて、ＹＥＳ）、Ｓ５６３０でビデオディスクドライブからデジタルカメラに対してデータ記録完了信号を送信する。
【０１２１】
Ｓ５７０で、デジタルカメラがデータ記録完了信号を受信すると（Ｓ５７０にてＹＥＳ）、Ｓ５８０で画面Ｄ５１０を表示し、転送が完了した旨を表示する。次いで、Ｓ５９０で、画面Ｄ５１０でＦＬモート設定キー１１が押されたかどうかを判別し、押された場合には（Ｓ５９０にてＹＥＳ）、Ｓ６００でビデオディスクドライブに転送完了信号を送信したのち、Ｓ６１０で画面Ｄ１に戻り、このルーチンを抜ける。
【０１２２】
Ｓ５６４０で、ビデオディスクドライブがデジタルカメラから送信された前記転送完了信号を受信すると（Ｓ５６４０にてＹＥＳ）、Ｓ５６５０で記録終了処理を実行し、このルーチンを抜ける。
【０１２３】
次に、Ｓ５６５０の記録終了処理について、図１４のフローチャートを参照しつつ説明する。Ｓ５６６０でビデオディスクドライブのステータスを更新しアイドル状態とする。Ｓ５６７０で転送完了信号を受信してから１分経過したかどうかを判別し、１分経過したなら（Ｓ５６７０にてＹＥＳ）、Ｓ５６９０でビデオディスクドライブの電源をＯＦＦにする。Ｓ５６７０で転送完了信号を受信してから１分経過しない場合には（Ｓ５６７０にてＮＯ）、Ｓ５６８０でビデオディスクドライブから見てデジタルカメラ以外の他の機器から接続要求があるかどうかを判別し、接続要求がある場合には（Ｓ５６８０にてＹＥＳ）、このルーチンを抜けて、接続要求を出した機器に応じた所定の処理を行う。接続要求がなかった場合には（Ｓ５６８０にてＮＯ）、Ｓ５６７０に戻る。
【０１２４】
以上、画面Ｄ５０の画面において「５１：ビデオデッキ」が選択されたときの処理を説明したが、「５２：パソコン１  デスクトップ」「５２：パソコン２  ノート」が選択された場合にも、上記と同様にしてパーソナルコンピュータが起動されるとともに、上記と同様にしてパーソナルコンピュータに装着された記録メディアへ画像データが記録される。また、上記実施形態では、デジタルカメラと記録メディアのドライブ手段とが、チューナ、テレビモニター、ファクシミリ等が接続されたネットワークを介して接続されている場合について説明したが、デジタルカメラと記録メディアのドライブ手段とは直接接続されても良く、この場合も上記実施形態と同様の手順で各処理が実行される。
【０１２５】
【発明の効果】
この発明に係るデジタルカメラは、１個または２個以上の映像用あるいは通信用の機器が接続されたネットワークを介して記録メディアのドライブ手段に接続された状態で、ドライブ手段に向けて起動信号を発信することにより、前記ドライブ手段を起動させる第１の発信手段を備えているから、デジタルカメラ側からの操作に基づいて、前記ドライブ手段を起動させ、その後デジタルカメラと記録メディアとの間で画像データの転送を行うことができるようになる。このため、デジタルカメラの操作性が良くなり、商品価値の高いデジタルカメラとなしうる。
【０１２６】
また、第１の発信手段によりドライブ手段が起動された状態で、記録メディアに撮影した画像データを記録可能に構成されている場合には、デジタルカメラにより撮影した画像データを、デジタルカメラ側からの操作に基づいて記録メディアに直接記録できるようになる。一方、撮影した画像データを表示する表示手段を備え、記録メディアに記録されているデータを前記表示手段に再生表示可能に構成されている場合には、記録メディアに記録されているデータの内容を、デジタルカメラ側からの操作に基づいてデジタル表示手段に表示することができるようになり、さらに使い勝手が良くなる。
【０１２７】
また、デジタルカメラと記録メディアのドライブ手段とが、１個または２個以上の映像用あるいは通信用の機器が接続されたネットワークを介して接続されるから、記録メディアのドライブ手段以外に、このネットワークに接続された映像用あるいは通信用の機器を利用することが可能となり、デジタルカメラの用途を一層拡大することができる。
【図面の簡単な説明】
【図１】この発明に係るデジタルカメラが接続されたネットワークの全体構成図である。
【図２】この発明の一実施形態に係るデジタルカメラの正面図である。
【図３】同じくデジタルカメラの背面図である。
【図４】同じくデジタルカメラの底面図である。
【図５】図２〜４に示したデジタルカメラの制御系を示すブロック図である。
【図６】図５のブロック図における全体制御部のブロック図である。
【図７】メモリカード８内の画像の記憶構造を示す説明図である。
【図８】再生モード（機能選択モード）における初期画面と、各機能が選択されたときの画面とを説明するための画面遷位図を分割して示したその一部である。
【図９】同じく、再生モード（機能選択モード）における初期画面と、各機能が選択されたときの画面とを説明するための画面遷位図を分割して示した残りの一部である。
【図１０】図８の画面Ｄ１において「２：再生」の機能が選択されたときの処理を示すフローチャートである。
【図１１】図１０のフローチャートにおける再生終了処理の内容を示すフローチャートである。
【図１２】図１０のフローチャートに示した処理において表示される画面の遷移図である。
【図１３】図８の画面Ｄ１において「５：データ記録」の機能が選択されたときの処理を示すフローチャートである。
【図１４】図１３のフローチャートにおける記録終了処理の内容を示すフローチャートである。
【図１５】図１３のフローチャートに示した処理において表示される画面の遷移図である。
【符号の説明】
１…デジタルカメラ
２…カメラ本体部
３…撮像部
８…メモリカード
９…シャッターボタン
１０…表示部
１１…ＦＬモード設定キー
１４…撮影／再生モード設定スイッチ
２１１…全体制御部
Ｄ１、Ｄ１０〜Ｄ８０…画面
【図１】
0004067631.tif 000006
【図２】
0004067631.tif 000007
【図３】
0004067631.tif 000008
【図４】
0004067631.tif 000009
【図５】
0004067631.tif 000010
【図６】
0004067631.tif 000011
【図７】
0004067631.tif 000012
【図８】
0004067631.tif 000013
【図９】
0004067631.tif 000014
【図１０】
0004067631.tif 000015
【図１１】
0004067631.tif 000016
【図１２】
0004067631.tif 000017
【図１３】
0004067631.tif 000018
【図１４】
0004067631.tif 000019
【図１５】
0004067631.tif 000020